(57)【要約】      （修正有）【課題】単純且つ強度に優れた構造を提供し、ヘアエクステンションの使用に有利なヘアエクステンション構造を提供する。【解決手段】ヘアエクステンション構造１００は、少なくとも１つの第２毛束Ｆ２を使用者の少なくとも１つの第１毛束Ｆ１の上に配置するために使用される。ヘアエクステンション構造１００は、螺旋部材１１０と固定部材１２０を含む。第１毛束Ｆ１は、螺旋部材１１０を通り抜けるのに適しており、第２毛束Ｆ２は、螺旋部材１１０の上に配置され、第１毛束Ｆ１の周縁に位置するのに適している。固定部材１２０は、可撓性を有し、且つ螺旋部材１１０の一端に配置されて、螺旋部材１１０を当接し、第１毛束Ｆ１は、固定部材１２０を通り抜け、固定部材１２０が変形した時に挟持される。【選択図】図１
0003227532.tif 000002
【実用新案登録請求の範囲】
【請求項１】
少なくとも１つの第２毛束を使用者の少なくとも１つの第１毛束の上に配置するために使用されるヘアエクステンション構造であって、
前記第１毛束が通り抜けるのに適し、前記第２毛束がその上に配置されて、前記第１毛束の周縁に位置するのに適した螺旋部材と、
可撓性を有し、且つ前記螺旋部材の一端に配置されて、前記螺旋部材を当接し、前記第１毛束が通り抜け、変形した時に挟持される固定部材と、
を含むヘアエクステンション構造。
【請求項２】
前記螺旋部材が、互いに接続され、且つ同軸上に配置された複数の環形コイルを有し、前記第２毛束が前記環形コイル上に配置され、前記第１毛束が前記環形コイルを通り抜ける請求項１に記載のヘアエクステンション構造。
【請求項３】
前記固定部材が、前記環形コイルと同軸上に配置された開孔を有し、前記第１毛束が、前記開孔を通り抜ける請求項２に記載のヘアエクステンション構造。
【請求項４】
前記固定部材が、変形して開孔を圧縮し、前記第１毛束を挟持する請求項３に記載のヘアエクステンション構造。
【請求項５】
前記固定部材が、円錐形であり、前記円錐形の一部が前記螺旋部材に挿入されると変形して、前記第１毛束を挟持し、且つ前記円錐形の最大外径が、前記環形コイルの内径よりも大きく、前記螺旋部材に挿入されない請求項２に記載のヘアエクステンション構造。
【請求項６】
前記環形コイルが、互いに等しい内径を有する請求項２に記載のヘアエクステンション構造。
【請求項７】
前記固定部材が、前記環形コイルと同軸上に配置された環状体であり、前記第１毛束が、前記環状体を通り抜け、且つ前記環状体が、変形して前記第１毛束を挟持する請求項２に記載のヘアエクステンション構造。
【請求項８】
変形後の前記環状体の最大外径が、前記環形コイルの内径よりも大きい請求項７に記載のヘアエクステンション構造。
【請求項９】
前記螺旋部材が、螺旋バネである請求項１に記載のヘアエクステンション構造。
【請求項１０】
前記螺旋部材の少なくとも一端が、封閉端であり、前記第２毛束が前記螺旋部材から脱落するのを阻止する請求項１に記載のヘアエクステンション構造。
【考案の詳細な説明】
【技術分野】
【０００１】
この考案は、ヘアエクステンション構造に関するものである。
【背景技術】
【０００２】
お洒落は人の本能であり、トータルスタイリングの流行を追求するにつれ、ヘアスタイルの変化も自然に美感の重要な部位となっている。しかし、髪の毛の成長速度は人によって異なり、長さを突然長くしたり短くしたりすることは不可能である。髪色も変え続けることは不可能であり、当然、ストレートにしてからすぐに巻き髪にすることも不可能である。したがって、異なる形式、色、長さ、密度のウィッグを直接的または間接的に元の髪の毛の上に接合させるヘアエクステンションの技術が登場した。流行を追及する趨勢を満足させるだけでなく、髪の量が少ない人に対する解決方法にもなる。
【０００３】
ただし、現在知られているヘアエクステンション構造は、材質の多くがＰＵ基材であり、比較的柔らかく加工しやすいが、折り曲げると損傷しやすいため、使用寿命を有効に引き延ばすことができない。また、ヘアエクステンション構造は、使用者の皮膚と接触するため、いかにしてヘアエクステンション構造の構造強度を上げ、同時に、異物感によって動きが不自然にならないように、使用者の快適度を高めるかが、本分野における解決すべき課題となっている。また、いかにしてヘアエクステンション構造の美観性を向上させ、元の髪型になじませて目立たなくするかも、現有のヘアエクステンション構造の考慮すべき課題となっている。
【考案の概要】
【考案が解決しようとする課題】
【０００４】
この考案は、単純且つ強度に優れた構造を提供し、ヘアエクステンションの使用に有利なヘアエクステンション構造を提供する。
【課題を解決するための手段】
【０００５】
この考案のヘアエクステンション構造は、少なくとも１つの第２毛束を使用者の少なくとも１つの第１毛束の上に配置するために使用される。ヘアエクステンション構造は、螺旋部材と固定部材を含む。第１毛束は、螺旋部材を通り抜けるのに適しており、第２毛束は、螺旋部材の上に配置され、第１毛束の周縁に位置するのに適している。固定部材は、可撓性を有し、且つ螺旋部材の一端に配置されて、螺旋部材を当接し、第１毛束は、固定部材を通り抜けて、固定部材が変形した時に挟持される。
【０００６】
この考案の１つの実施形態において、上述した螺旋部材は、互いに接続され、且つ同軸上に配置された複数の環形コイルを有し、第２毛束が環形コイル上に配置され、第１毛束が環形コイルを通り抜ける。
【０００７】
この考案の１つの実施形態において、上述した固定部材は、環形コイルと同軸上に配置された開孔を有し、第１毛束が開孔を通り抜ける。
【０００８】
この考案の１つの実施形態において、上述した固定部材は、変形して開孔を圧縮し、第１毛束を挟持する。
【０００９】
この考案の１つの実施形態において、上述した固定部材は、円錐形であり、円錐形の一部が螺旋部材に挿入されると変形して、第１毛束を挟持し、且つ円錐形の最大外径は、環形コイルの内径よりも大きく、螺旋部材に挿入されない。
【００１０】
この考案の１つの実施形態において、上述した環形コイルは、内径が互いに等しい。
【００１１】
この考案の１つの実施形態において、上述した固定部材は、環形コイルと同軸上に配置された環状体であり、第１毛束が環状体を通り抜け、且つ環状体は、変形して第１毛束を挟持する。
【００１２】
この考案の１つの実施形態において、上述した変形後の環状体の最大外径は、環形コイルの内径よりも大きい。
【００１３】
この考案の１つの実施形態において、上述した螺旋部材は、螺旋バネである。
【００１４】
この考案の１つの実施形態において、上述した螺旋部材の少なくとも一端は、封閉端であり、第２毛束が螺旋部材から脱落するのを阻止する。
【考案の効果】
【００１５】
以上のように、この考案の上述した実施形態において、ヘアエクステンション構造は、第２毛束と使用者の第１毛束をそれぞれ螺旋部材と固定部材に配置する。第１毛束は、螺旋部材と固定部材を通り抜け、第２毛束は、螺旋部材の上に配置されて、第１毛束を取り囲む周縁に位置するとともに、固定部材により螺旋部材の一端に配置され、変形後に第１毛束を挟持して固定する。そのため、第１毛束と第２毛束の接続関係をスムーズに完成できるだけでなく、異なる毛束を異なる部材に適切に配置することにより、毛束が互いに邪魔になる状況を回避し、同時に、周縁位置にある第２毛束が第１毛束を遮蔽する効果を提供することもできる。また、固定部材を螺旋部材の一端に配置して螺旋部材を当接することにより、ヘアエクステンション構造を単純且つ強度に優れた部材に構成し、第１毛束と第２毛束を同時に固定する目的を達成することができる。
【図面の簡単な説明】
【００１６】
【図１】図１は、この考案の１つの実施形態に係るヘアエクステンション構造の使用状態図である。
【図２Ａ】図２Ａは、図１のヘアエクステンション構造の分解立体図である。
【図２Ｂ】図２Ｂは、図２Ａのヘアエクステンション構造を組み立てた後の部分的概略図である。
【図３Ａ】図３Ａは、この考案の別の実施形態に係るヘアエクステンション構造の使用状態図である。
【図３Ｂ】図３Ｂは、図３Ａのヘアエクステンション構造の部分的概略図である。
【考案を実施するための形態】
【００１７】
図１は、この考案の１つの実施形態に係るヘアエクステンション構造の使用状態図である。図２Ａは、図１のヘアエクステンション構造の分解立体図である。図１および図２Ａを同時に参照すると、本実施形態において、ヘアエクステンション構造１００は、少なくとも１つの第２毛束Ｆ２を使用者の第１毛束Ｆ１の上に配置して、第１毛束Ｆ１、第２毛束Ｆ２を互いに接続させる効果を達成するために使用される。ここで、第１毛束Ｆ１は、例えば、使用者の元の毛束であり、第２毛束Ｆ２は、例えば、元の毛束に接続するための接続毛束（つまり、ウィッグ毛束）である。
【００１８】
本実施形態において、ヘアエクステンション構造１００は、螺旋部材１１０と固定部材１２０を含む。第１毛束Ｆ１は、螺旋部材１１０を通り抜けるのに適しており、第２毛束Ｆ２は、螺旋部材１１０の上に配置され、第１毛束Ｆ１を取り囲む周縁位置に位置する。固定部材１２０は、可撓性を有し、且つ螺旋部材１１０の一端に配置されて、螺旋部材１１０を当接し、第１毛束Ｆ１は、固定部材１２０を通り抜けて、固定部材１２０が変形した時に挟持される。
【００１９】
さらに詳しく説明すると、本実施形態の螺旋部材１１０は、螺旋バネであり、互いに接続され、且つ同軸Ｌ１上に配置された複数の環形コイル１１２で構成される。第２毛束Ｆ２は、環形コイル１１２の上に配置され、第１毛束Ｆ１は、環形コイル１１２を通り抜ける。ここで、第２毛束Ｆ２は、結ぶ、または接着する等の物理的または化学的方法で環形コイル１１２に結合され、第１毛束Ｆ１をこれらの環形コイル１１２に取り囲まれた内部空間１１４に通過させることにより、周縁位置にある第２毛束Ｆ２が第１毛束Ｆ１を遮蔽する効果を提供し、ヘアエクステンション構造１００を隠す美観要求を保持することができる。
【００２０】
図２Ｂは、図２Ａのヘアエクステンション構造を組み立てた後の部分的概略図である。図２Ａおよび図２Ｂを同時に参照すると、本実施形態において、螺旋部材１１０は、互いに相対する第１端Ｅ１と第２端Ｅ２を有し、且つ少なくともその中の一端は、封閉端であり（ここで、第１端Ｅ１を例に挙げると、本実施形態の第２端Ｅ２は、開放端である）、環形コイル１１２の上に配置した第２毛束Ｆ２が螺旋部材１１０から脱落するのを阻止するために使用される。さらに詳しく説明すると、本実施形態は、螺旋部材１１０を第１端Ｅ１の部分の環形コイル１１２に按圧し変形させ、環形コイル１１２を端部で互いに結合させることにより、上述した封閉構造を形成する。一方、第１端Ｅ１の部分に開放構造（第２端Ｅ２のように）を採用する場合、環形コイル１１２が端部で互いに結合しないため、環形コイル１１２上の第２毛束Ｆ２が毛束間の相互摩擦により動かされて、環形コイル１１２に沿って移動し、それにより、上述した開放構造から環形コイル１１２を外すことができる。ここで、封閉端を形成する形式は限定されず、物理的変形により環形コイル１１２を互いに結合する他に、接着または溶接等の方法を採用して、必要な構造を達成してもよい。説明すべきこととして、第１端Ｅ１と第２端Ｅ２は、いずれも封閉端であってもよい。
【００２１】
本実施形態において、固定部材１２０は、環形コイル１１２と同軸Ｌ１上に配置された開孔１２２を有し、第１毛束Ｆ１は、環形コイル１１２の内部空間と開孔１２２を順番に通り抜け、且つ固定部材１２０が変形した時、開孔１２２を圧縮して第１毛束Ｆ１を挟持する。
【００２２】
詳しく説明すると、本実施形態の環形コイル１１２は、内径が互いに等しく、固定部材１２０は、本体１２１とその中の開孔１２２を含む円錐形であり、且つ円錐形の一部が螺旋部材１１０の環形コイル１１２内に挿入されると変形し、これにより、円錐形とその中の開孔１２２を圧縮する。ここで、図２Ｂの本体１２１ａと開孔１２２ａは、既に変形した（圧縮された）状態を示している。このように、最初に本体１２１を通り抜けた第１毛束Ｆ１は、図２Ｂにおいて本体１２１ａに挟持される。また、本実施形態において、円錐形の最大外径ｄ２は、環形コイル１１２の内径ｄ１よりも大きく、螺旋部材１１０に挿入されないため、固定部材１２０は、螺旋部材１１０を当接する効果を提供することができ、固定部材１２０を螺旋部材１１０の止め部材として使用し、螺旋部材１１０が第１毛束Ｆ１から滑落する状況が発生するのを回避することもできる。さらに言及すべきこととして、固定部材１２０は、螺旋部材１１０の第２端Ｅ２から挿入されるため、環形コイル１１２に配置された第２毛束Ｆ２が脱落する可能性を有効に阻止することができる。したがって、本実施形態の第２端Ｅ２は、封閉端を形成する必要がない。
【００２３】
図３Ａは、この考案の別の実施形態に係るヘアエクステンション構造の使用状態図である。図３Ｂは、図３Ａのヘアエクステンション構造の部分的概略図である。図３Ａおよび図３Ｂを同時に参照すると、本実施形態のヘアエクステンション構造２００において、螺旋部材２１０は、上述した螺旋部材１１０とほぼ同じで、等径（内径ｄ１）の環形コイルを有し、且つ第１端Ｅ３も封閉端を形成する。異なる点は、螺旋部材２１０の第２端Ｅ４も封閉端であることである。また、本実施形態の固定部材２２０は、環形コイル１１２と同軸Ｌ１上に配置された環状体であり、第１毛束Ｆ１が環状体を通り抜け、且つ環状体は、変形して第１毛束Ｆ１を挟持する。図３Ｂは、既に変形した固定部材２２０を示したものであり、変形後の固定部材２２０の最大外径ｄ３は、螺旋部材２１０の内径ｄ１よりも大きいため、固定部材２２０は、螺旋部材２１０を当接することができ、上述した実施形態と同様に、螺旋部材２１０の止め部材として使用して、螺旋部材２１０が第１毛束Ｆ１から滑落する状況が発生するのを回避することができる。言及すべきこととして、本実施形態の固定部材２２０は、工具（例えば、クランプ）で挟んで円環形から楕円形に押しつぶし、所望の第１毛束Ｆ１を挟持する効果を達成する。
【００２４】
以上のように、この考案の上述した実施形態において、ヘアエクステンション構造は、第２毛束と使用者の第１毛束をそれぞれ螺旋部材と固定部材に配置する。第１毛束は、螺旋部材と固定部材を通り抜け、第２毛束は、螺旋部材の上に配置されて、第１毛束を取り囲む周縁に位置するとともに、固定部材により螺旋部材の一端に配置され、変形後に第１毛束を挟持して固定する。
【００２５】
１つの実施形態において、固定部材は、円錐形であり、一部を螺旋部材に挿入して変形させ、第１毛束を挟持する効果を提供するために使用される。また、螺旋部材に挿入されなかった部分の最大外径は、円形コイルの内径よりも大きいため、螺旋部材を止めることができる。別の実施形態において、固定部材は、工具で挟んで変形させる環状体であり、変形後の最大外径は、円形コイルの内径よりも大きいため、この場合も螺旋部材を止めることができる。
【００２６】
したがって、第１毛束と第２毛束の接続関係をスムーズに完成できるだけでなく、異なる毛束を異なる部材に適切に配置することにより、毛束が互いに邪魔になる状況を回避し、同時に、周縁位置にある第２毛束が第１毛束を遮蔽する効果を提供することもできる。また、固定部材を螺旋部材の一端に配置して螺旋部材を当接することにより、ヘアエクステンション構造を単純且つ強度に優れた部材に構成し、第１毛束と第２毛束を同時に固定する目的を達成することができる。
【符号の説明】
【００２７】
１００、２００  ヘアエクステンション構造
１１０、２１０  螺旋部材
１１２  環形コイル
１１４  内部空間
１２０、２２０  固定部材
１２１、１２１ａ  本体
１２２、１２２ａ  開孔
ｄ１  内径
ｄ２、ｄ３  最大外径
Ｅ１、Ｅ３  第一端
Ｅ２、Ｅ４  第二端
Ｆ１  第１毛束
Ｆ２  第２毛束
Ｌ１  軸
【図１】
0003227532.tif 000003
【図２Ａ】
0003227532.tif 000004
【図２Ｂ】
0003227532.tif 000005
【図３Ａ】
0003227532.tif 000006
【図３Ｂ】
0003227532.tif 000007